(57)【要約】【課題】  本発明はパーソナルコンピュータ等に搭載された磁気記録媒体の位置を検出する磁気記録媒体の位置検出装置に関し、特にデータ消去の前にハードディスクの位置を検出し、パーソナルコンピュータ等からハードディスクを取り出すことなく、短時間でハードディスクの位置を検出し、効率よくハードディスクのデータ消去を可能とする磁気記録媒体の位置検出装置を提供するものである。【解決手段】  ハードディスク（ＨＤ）等の磁気記録媒体の位置検出装置であって、上記パーソナルコンピュータの平面近傍に配設された位置検出手段と、この位置検出手段を前記パーソナルコンピュータの平面に沿って移動させる移動手段とを有し、上記位置検出手段には、パーソナルコンピュータ内に取り付けられた磁気記録媒体を検知する検知手段と、この検知手段からの検知信号に基づいて上記磁気記録媒体の検知を報知する報知手段とを備えることを特徴とする。【選択図】  図１
2010123150.tif 000002
【特許請求の範囲】
【請求項１】
パーソナルコンピュータの平面近傍に配設された位置検出手段と、
該位置検出手段を、前記パーソナルコンピュータの平面に沿って移動させる移動手段とを有し、
前記位置検出手段には、前記パーソナルコンピュータ内に取り付けられた磁気記録媒体を検出する検出手段と、該検出手段からの検出信号に基づいて前記磁気記録媒体の検知を報知する報知手段と、
を備えることを特徴とする磁気記録媒体の位置検出装置。
【請求項２】
前記位置検出手段の移動は、前記パーソナルコンピュータの平面に対して互いに直交するＸ軸、Ｙ軸方向であることを特徴とする請求項１記載の磁気記録媒体の位置検出装置。
【請求項３】
前記位置検出手段は、前記Ｙ軸方向に移動するＹ軸方向移動機構に取り付けられ、該Ｙ軸方向移動機構の移動と共にＹ軸方向に移動すると共に、該Ｙ軸方向移動機構を介在させてＸ軸方向移動機構にも取り付けられ、該Ｘ軸方向移動機構の移動と共にＸ軸方向にも移動することを特徴とする請求項２記載の磁気記録媒体の位置検出装置。
【請求項４】
前記報知手段は、前記検知手段からの検知信号に基づいて表示部を点灯することを特徴とする請求項１、２、又は３記載の磁気記録媒体の位置検出装置。
【請求項５】
前記報知手段は、前記検知手段からの検知信号に基づいて報音することを特徴とする請求項１、２、又は３記載の磁気記録媒体の位置検出装置。
【請求項６】
パーソナルコンピュータの平面近傍に配設された位置検出手段と、
該位置検出手段を、前記パーソナルコンピュータの平面に沿って移動させる移動手段とを有する磁気記録媒体の位置検出方法であり、
前記位置検出手段が前記パーソナルコンピュータ内に取り付けられた磁気記録媒体を検出したとき、検出信号を出力し、発光又は報音によってパーソナルコンピュータに取り付けられたハードディスクの位置を報知することを特徴とする磁気記録媒体の位置検出方法。
【請求項７】
パーソナルコンピュータの平面近傍に配設された位置検出手段と、
該位置検出手段を、前記パーソナルコンピュータの平面に沿って移動させる移動手段とを有する磁気記録媒体に使用されるプログラムであって、
前記位置検出手段は、前記パーソナルコンピュータ内に取り付けられた磁気記録媒体を検出したとき、検出信号を出力し、発光又は報音によってパーソナルコンピュータに取り付けられたハードディスクの位置を報知することを特徴とする位置検出プログラム。
【請求項８】
パーソナルコンピュータの移動手段と、
移動するパーソナルコンピュータの平面近傍に配設された棒状の位置検出手段と、を有し、
前記位置検出手段には、前記パーソナルコンピュータ内に取り付けられた磁気記録媒体を検出する検出手段が設けられ、該検出手段からの検出信号に基づいて前記磁気記録媒体の検知を報知する報知手段が設けられていることを特徴とする磁気記録媒体の位置検出装置。
【請求項９】
パーソナルコンピュータの移動に従って前記媒体位置検出手段は、前記パーソナルコンピュータ内に取り付けられた磁気記録媒体を検出し、前記パーソナルコンピュータのセットが完了したとき、前記磁気記録媒体の検出処理も完了していることを特徴とする請求項８記載の磁気記録媒体の位置検出装置。
【発明の詳細な説明】
【技術分野】
【０００１】
本発明は、パーソナルコンピュータ（ＰＣ）等に搭載された磁気記録媒体の位置を検出する磁気記録媒体の位置検出装置に関する。
【背景技術】
【０００２】
現在、企業や個人で使用した磁気ディスク装置（以下、ハードディスクで示す）を廃棄する場合、ハードディスクに記録された情報を第三者に知られないため、例えばコンピュータに接続した状態でオペレーティングシステムからフォーマット処理を行い、磁気情報を消去している。
【０００３】
しかし、上記消去方法では、ハードディスク内の磁気情報の配置等を管理する管理領域のみを消去し、実際の磁気情報はディスク上に残る。そこで、例えば磁気記録媒体に電磁石により生成された磁力を与え、磁気記録媒体に記録されている情報を消去する方法が行われている。
【０００４】
この様な方法として、特許文献１は磁気ディスク等の記録媒体を円筒状の磁気コイル内に挿入して磁気情報を消去する方法を開示する。
【特許文献１】特開昭６０−１２９９０９号公報
【発明の開示】
【発明が解決しようとする課題】
【０００５】
上記特許文献１の磁気消去方法では、磁気ディスク等の磁気記録媒体をコンピュータから取り出し、円筒状の磁気コイル内に挿入して磁気情報を消去する方法であり、磁気記録媒体をコンピュータから取り外す必要がある。一方、ハードディスクを搭載したまま磁気記録媒体に記録された情報を消去する場合には、コンピュータ本体に、例えば電磁石による磁力を作用させて情報を消去する必要がある
【０００６】
しかしながら、この方法ではハードディスクがコンピュータ内のどこに取り付けられているか分からず、ハードディスク全体を操作する必要がある。したがって、ハードディスクのデータ消去に時間を要する。また、電磁石を駆動させる時間も長くなり、電力の浪費に繋がる。
【０００７】
そこで、本発明は上記課題に鑑み、データ消去前にハードディスクの位置を検出し、コンピュータからハードディスクを取り出すことなく、短時間でハードディスクの位置を調べ、効率よくハードディスクのデータ消去を行うことを可能とする磁気記録媒体の位置検出装置を提供するものである。
【課題を解決するための手段】
【０００８】
上記課題は本発明によれば、パーソナルコンピュータの平面近傍に配設された位置検出手段と、該位置検出手段を、前記パーソナルコンピュータの平面に沿って移動させる移動手段とを有し、前記位置検出手段には、前記パーソナルコンピュータ内に取り付けられた磁気記録媒体を検出する検出手段と、該検出手段からの検出信号に基づいて前記磁気記録媒体の検知を報知する報知手段とを備える磁気記録媒体の位置検出装置を提供することによって達成できる。
【０００９】
また、上記課題は本発明によれば、前記位置検出手段の移動は、前記パーソナルコンピュータの平面に対して互いに直交するＸ軸、Ｙ軸方向である磁気記録媒体の位置検出装置を提供することによって達成できる。
【００１０】
また、上記課題は本発明によれば、前記位置検出手段は、前記Ｙ軸方向に移動するＹ軸方向移動機構に取り付けられ、該Ｙ軸方向移動機構の移動と共にＹ軸方向に移動すると共に、該Ｙ軸方向移動機構を介在させてＸ軸方向移動機構にも取り付けられ、該Ｘ軸方向移動機構の移動と共にＸ軸方向にも移動する磁気記録媒体の位置検出装置を提供することによって達成できる。
【００１１】
また、上記課題は本発明によれば、前記報知手段は、前記検知手段からの検知信号に基づいて表示部を点灯する磁気記録媒体の位置検出装置を提供することによって達成できる。
【００１２】
また、上記課題は本発明によれば、前記報知手段は、前記検知手段からの検知信号に基づいて報音する磁気記録媒体の位置検出装置を提供することによって達成できる。
【００１３】
さらに、上記課題は本発明によれば、上記構成の磁気記録媒体の位置検出方法によっても達成でき、磁気記録媒体の位置検出プログラムよっても達成できる。
【発明の効果】
【００１４】
本発明によれば、データ消去前にハードディスクの位置を検出し、コンピュータからハードディスクを取り出すことなく、短時間でハードディスクの位置を検出し、効率よくハードディスクのデータを消去することができる。また、少ない消費電力でハードディスクのデータ消去を行うことが可能となる。
【発明を実施するための最良の形態】
【００１５】
以下、図面を参照しながら本発明の実施の形態について説明する。
（実施形態１）
【００１６】
図１は、本実施形態の磁気記録媒体の位置検出装置によるハードディスクの位置検出を説明する図である。同図において、磁気記録媒体の位置検出装置（以下、単に媒体位置検出装置で示す）１はノート型のパーソナルコンピュータ（ＰＣ）の裏面近傍に配設されている。また、パーソナルコンピュータ（ＰＣ）はコンピュータ保持具２に載置されている。
【００１７】
コンピュータ保持具２には長手方向に溝３が形成され、この溝３はパーソナルコンピュータ（ＰＣ）の側端面の形状に成形されており、この溝３にパーソナルコンピュータ（ＰＣ）を横向きに置き、不図示のロック機構を機能させることによって、コンピュータ保持具２にパーソナルコンピュータ（ＰＣ）を固定することができる。
【００１８】
また、媒体位置検出装置１には媒体位置検出装置１を同図に示すＸ軸方向、Ｙ軸方向に移動させる移動機構５が設けられている。この移動機構５は、Ｘ軸方向移動機構５ａとＹ軸方向移動機構５ｂで構成され、媒体位置検出装置１はＸ軸方向、及びＹ軸方向に移動可能に取り付けられている。但し、直接的には媒体位置検出装置１はＹ軸方向移動機構５ｂに取り付けられている。
【００１９】
図２は、Ｙ軸方向移動機構５ｂに取り付けられた媒体位置検出装置１を示す斜視図である。同図に示すように、媒体位置検出装置１はＹ軸部材６に取り付けられ、Ｙ軸方向移動機構５ｂがＹ軸部材６に沿って上下方向（Ｙ軸方向）に移動することによって、媒体位置検出装置１も同様に移動する。また、Ｙ軸部材６はＸ軸方向移動機構５ａに設けられたラチェットカム７に取り付けられている。尚、媒体位置検出装置１の移動は、後述する制御装置からの制御信号に従って行われる。
【００２０】
一方、Ｘ軸方向移動機構５ａは上記ラチェットカム７、モータ８、Ｘ軸部材９で構成され、Ｘ軸部材９には上記ラチェットカム７が移動するための螺旋溝９ａが形成されている。また、モータ８の駆動は制御装置１０からの制御信号に基づいて実行される。尚、モータ８は上記制御信号によって正回転駆動及び逆回転駆動が可能であり、例えばモータ８を正回転駆動することによって媒体位置検出装置１（Ｙ軸方向移動機構５ｂ）をＸ軸方向（図１の紙面右から左方向）に移動でき、モータ８を逆回転駆動することによって媒体位置検出装置１（Ｘ軸方向移動機構５ａ）をＸ´軸方向（図１の紙面左から右方向）に移動できる。
【００２１】
一方、媒体位置検出装置１には電源ランプ１１と、パーソナルコンピュータ（ＰＣ）に取り付けられたハードディスクの位置を検出した際に発光する発光部１２が設けられている。尚、発光部１２は、例えばＬＥＤで構成されている。また、媒体位置検出装置１の裏面、即ち媒体位置検出装置１がパーソナルコンピュータ（ＰＣ）の裏面と対面する側には、磁気センサ１３が設けられている。
【００２２】
図３は、上記媒体位置検出装置１の回路構成を説明する回路図である。本例の回路は前述の磁気センサ１３、比較器１４、基準電圧入力部１５、及び前述の発光部１２で構成され、基準電圧入力部１５と比較器１４との間には基準電圧調整抵抗１６が接続されている。
【００２３】
磁気センサ１３はハードディスクを構成するモータの磁気を検出するものであり、モータ内の磁石が発生する磁気を検出し、検出した磁界強度に従った電圧値を比較器１４に出力する。比較器１４では、磁気センサ１３から入力する電圧値と基準電圧入力部１５から入力する基準値とを比較し、例えば磁気センサ１３の検出出力（電圧値）が上記基準値を越える時、発光部１２に発光信号を出力し、発光部１２を点灯する。
【００２４】
以上の構成において、以下に本例の処理動作を説明する。
【００２５】
図４は本例の処理動作を説明するフローチャートである。同図において、先ず制御装置１０は初期設定処理を行い（ステップ（以下、Ｓで示す）１）、例えばモータ８に制御信号を送り、媒体位置検出装置１（Ｘ軸方向移動機構５ａ）を初期位置に移動する。また、媒体位置検出装置１に無線信号を送り、媒体位置検出装置１の電源ランプ１１を点灯し、磁気センサ１３にバイアス電圧を供給し、磁気センサ１３が磁気検知可能な状態に設定する。
【００２６】
次に、制御装置１０はモータ８を駆動し、媒体位置検出装置１のＸ軸方向への移動を開始する（Ｓ２）。媒体位置検出装置１の移動は、前述のように最初Ｘ軸方向であり、移動速度は制御装置１０からの制御信号により一定に保持される。この間、磁気センサ１３はパーソナルコンピュータ（ＰＣ）に取り付けられたハードディスクの位置を検知する。実際には上記のように、磁気センサ１３が検知する磁気はハードディスクに設けられたモータから発生する磁束である。
【００２７】
図１に示すＸ軸方向に媒体位置検出装置１が移動する間、磁気センサ１３は何らかの磁気（磁束）を検知すると、前述のように比較器１４によって、対応する電圧値が基準値より高い場合、ハードディスクの位置を検出したものとして発光部１２を点灯する（Ｓ３がＹＥＳ、Ｓ４）。尚、パーソナルコンピュータ（ＰＣ）にはハードディスク以外に、スピーカ等の磁気を発生する部品が使用されており、基準値以下の弱い磁気の場合には、発光信号を出力せず、誤検出を防止している。また、比較器１４の感度は前述の基準電圧調整抵抗１６を操作することによって調整可能である。
【００２８】
一方、磁気センサ１３がハードディスク（ＨＤ）を検知することなく（Ｓ３がＮＯ）、媒体位置検出装置１（Ｙ軸方向移動機構５ｂ）がコンピュータ保持具２の左端最終移動位置まで移動すると（Ｓ５がＹＥＳ）、モータ８の駆動を停止する（Ｓ６）。この時点で媒体位置検出装置１は、図１に示す1の位置に移動している。
【００２９】
次に、Ｙ軸方向移動機構５ｂに設けられた不図示のＹ軸駆動部を駆動し、媒体位置検出装置１をＹ軸方向（上方向）に移動する（Ｓ７）。そしてこの間、磁気センサ１３によるハードディスク（ＨＤ）の検索を行う（Ｓ８がＮＯ、Ｓ９、Ｓ７）。ここで、磁気センサ１３がパーソナルコンピュータ（ＰＣ）に取り付けられたハードディスクを検出すると（Ｓ８がＹＥＳ）、前述のように発光部１２を点灯する（Ｓ４）。
【００３０】
一方、磁気センサ１３がハードディスクを検出することなく（Ｓ８がＮＯ）、媒体位置検出装置１がＹ軸方向の上端最終移動位置まで移動すると（Ｓ９がＹＥＳ）、媒体位置検出装置１のＹ軸方向への移動を停止する（Ｓ１０）。この時、媒体位置検出装置１は図１に示す2の位置に移動している。
【００３１】
次に、モータ８を逆回転駆動し、媒体位置検出装置１（Ｙ軸方向移動機構５ｂ）を前述とは逆の方向（Ｘ´方向）に移動する（Ｓ１１）。そしてこの間も、磁気センサ１３によるハードディスクの位置検出処理を続け（Ｓ１２がＮＯ、Ｓ１１）、磁気センサ１３がハードディスクの位置を検出すると発光部１２を点灯する（Ｓ１２がＹＥＳ、Ｓ４）。
【００３２】
一方、磁気センサ１３がハードディスク（ＨＤ）を検知することなく（Ｓ１２がＮＯ）、媒体位置検出装置１（Ｙ軸方向移動機構５ｂ）がコンピュータ保持具２の右端最終移動位置（図１に示す3の位置）まで移動すると（Ｓ１３がＹＥＳ）、モータ８の駆動を停止する（Ｓ１４）。
【００３３】
以上にように、本実施形態によれば、図１に示す初期位置から位置1、位置2、位置3と移動してハードディスクの取り付け位置を自動的に検索することができる。そして、ハードディスクの取り付けら位置を検出すると発光部１２が点灯し、ユーザにハードディスクの取り付け位置を正確に知らせることができる。
【００３４】
したがって、以後この位置（ハードディスク（ＨＤ）を駆動するモータ位置）を中心に一定範囲に対して電磁石による磁界を印加することによって効率よくハードディスクのデータを消去することができる。
【００３５】
尚、上記実施形態の説明では、媒体位置検出装置１の移動は前述の図１に示す、初期位置→位置1→位置2→位置3の順に移動したが、例えば図５に示すように、初期位置→位置1→位置2→位置3→・・・とより詳細にハードディスクの位置を検索するように構成としてもよい。このように構成することにより、より正確にハードディスクの取り付け位置を知ることができる。
【００３６】
また、図６に示すように、媒体位置検出装置１を最初Ｙ軸方向に移動し、次にＸ軸方向に移動し、以後上記移動を繰り返すように移動させる構成としてもよい。
また、上記実施形態の説明では、パーソナルコンピュータ（ＰＣ）の裏面に沿って媒体位置検出装置１を走査したが、パーソナルコンピュータ（ＰＣ）の表面（例えば、蓋側の面）に沿って走査する構成としてもよい。さらに、表面と裏面の両面からハードディスクの取り付け位置を検索するように構成してもよい。
【００３７】
また、上記実施形態の説明では、媒体位置検出装置１を移動する構成としたが、媒体位置検出装置１を固定し、パーソナルコンピュータ（ＰＣ）を移動させる構成としてもよい。
【００３８】
さらに、本実施形態の説明では、ハードディスク（ＨＤ）の位置を検出した際、発光部１２を点灯する構成としたが、発光部１２の点灯と共に、音声等のアラーム音で報知する構成としてもよく、更に発光部１２の点灯と報音を同時に行う構成としてもよい。
【００３９】
また、磁気センサ１３は上記実施形態で説明したように、必ずしもＸ軸方向、及びＹ軸方向に移動する構成である必要はない。
【００４０】
また、上記例では単一の磁気センサを設ける構成としたが、複数の磁気センサ１３を設ける構成としてもよく、パーソナルコンピュータ（ＰＣ）をコンピュータ保持具２（溝３）にセットする際、複数の磁気センサ１３によってハードディスク（ＨＤ）の位置を検出する構成としてもよい。
【００４１】
このように構成することにより、パーソナルコンピュータ（ＰＣ）をコンピュータ保持具２（溝３）にセットする際、ハードディスク（ＨＤ）の位置を検出することができる。
【００４２】
（実施形態２）
【００４３】
次に、本発明の実施形態２について説明する。
【００４４】
本実施形態の媒体位置検出装置２１は、前述の実施形態１と同様、ノート型のパーソナルコンピュータ（ＰＣ）の裏面近傍に配設される。但し、本例の媒体位置検出装置２１はパーソナルコンピュータ（ＰＣ）の入力側に棒状に設けられ、パーソナルコンピュータ（ＰＣ）はコンピュータ保持具２に矢印方向に移動して装着される。したがって、パーソナルコンピュータ（ＰＣ）が図７の紙面右側から左側に、コンピュータ保持具２の溝３に沿って移動される間、媒体位置検出装置２１によってパーソナルコンピュータ（ＰＣ）内のハードディスク（ＨＤ）の位置が検出される。
【００４５】
図８は本例の媒体位置検出装置２１の構成を示す図であり、棒状の媒体位置検出装置２１には上下に多数の磁気センサ２２−１〜２２−ｎが配設されている。この磁気センサ２２−１〜２２−ｎの配設は、例えば数ｍｍ程度の一定間隔で配設され、媒体位置検出装置２１の近傍を通過するパーソナルコンピュータ（ＰＣ）内のハードディスク（ＨＤ）の位置を検出する。
【００４６】
制御装置２３は媒体位置検出装置２１と通信を行い、媒体位置検出装置２１からハードディスク（ＨＤ）の位置検出信号を受信する。パーソナルコンピュータ（ＰＣ）の移動は一定であり、制御装置２３は媒体位置検出装置２１からハードディスク（ＨＤ）の検知信号を受信すると、パーソナルコンピュータ（ＰＣ）の移動速度と媒体位置検出装置２１の検出信号からパーソナルコンピュータ（ＰＣ）内のハードディスク（ＨＤ）の配設位置を判断する。例えば、この位置は制御装置２３に設けられたディスプレイ上に表示される。
このように構成することにより、パーソナルコンピュータ（ＰＣ）をコンピュータ保持具２（溝３）にセットする際、ハードディスク（ＨＤ）の位置を検出することができる。
【００４７】
尚、上記実施形態２ではパーソナルコンピュータ（ＰＣ）を横方向（矢印方向）に移動してコンピュータ保持具２（溝３）にセットする場合について説明したが、パーソナルコンピュータ（ＰＣ）を縦方向に移動してコンピュータ保持具２（溝３）にセットする場合についても実施可能であり、この場合には媒体位置検出装置２１も横方向に設置し、パーソナルコンピュータ（ＰＣ）の装着に従ってハードディスク（ＨＤ）の配設位置を検出する構成とすればよい。
【００４８】
さらに、媒体位置検出装置の面積をパーソナルコンピュータ（ＰＣ）の裏面と同じ面積とし、パーソナルコンピュータ（ＰＣ）の近傍に並行して配設し、媒体位置検出装置の全面に所定間隔でマトリックス状に配置した磁気センサによってハードディスク（ＨＤ）の位置を検出する構成としてもよい。
（実施形態３）
【００４９】
次に、本発明の実施形態３について説明する。
本実施形態は、上記構成の媒体位置検出装置１をデータ消去ボックス内に設置した場合の全体構成を示す図である。
【００５０】
図９はデータ消去ボックス３０の全体構成を示す図であり、データ消去ボックス３０には前述の溝３が設けられたコンピュータ保持具２が配設され、パーソナルコンピュータ（ＰＣ）はデータ消去ボックス３０の手前に設けられた開口部３１から挿入する。
【００５１】
また、データ消去ボックス３０内には、データ消去装置３１が移動可能に設置され、挿入されたパーソナルコンピュータ（ＰＣ）の平面（正面又は裏面）に対して、例えば４５°を保持した状態で設置されている。
【００５２】
また、上記開口部１６の内側には、データ消去ボックス３０の上下方向に多数の磁気センサ３２（３２−１〜３２−ｎ）が配設され、近傍を通過するパーソナルコンピュータ（ＰＣ）の磁気を検知する。この磁気の検知は、パーソナルコンピュータ（ＰＣ）に取り付けられたハードディスク（ＨＤ）の位置を検出するためであり、例えばパーソナルコンピュータ（ＰＣ）を一定速度でデータ消去ボックス３０に挿入する際、磁気センサ３２（３２−１〜３２−ｎ）によってハードディスク（ＨＤ）の取り付け位置を検知する。
【００５３】
また、データ消去ボックス３０には、パーソナルコンピュータ（ＰＣ）の移動距離（挿入距離）を測定するため、図１０に示す回路が設けられている。同図の回路は、前述の磁気センサ３２（３２−１〜３２−ｎ）の他、エンコーダ３３、水平移動距離検出回路３４、垂直移動距離検出回路３５、制御回路３６、駆動回路３７、及び前述のデータ消去装置２９で構成されている。
【００５４】
エンコーダ３３は上記データ消去ボックス３０に設けられたスイッチ（ＳＷ）をオンしたタイミングで計測を開始し、計測データを水平移動距離検出回路３４に送信する。尚、上記スイッチ（ＳＷ）は前述のコンピュータ保持具２の溝３に設けられており、パーソナルコンピュータ（ＰＣ）が溝３にそってデータ消去ボックス３０に挿入する際、スイッチ（ＳＷ）を押下することによってオンし、このオン信号がエンコーダ３３に出力される。
【００５５】
また、エンコーダ３３は不図示の回転体に取り付けられており、パーソナルコンピュータ（ＰＣ）がデータ消去ボックス３０内の挿入された後、パーソナルコンピュータ（ＰＣ）が移動する間、エンコーダ３３は回転体（パーソナルコンピュータ（ＰＣ））の移動を検出し、水平移動距離検出回路１９に計測データを送信する。
【００５６】
また、磁気センサ３２（３２−１〜３２−ｎ）はパーソナルコンピュータ（ＰＣ）が挿入された後、近傍を通過するパーソナルコンピュータ（ＰＣ）に内臓されたハードディスク（ＨＤ）の位置を検出する。具体的には、ハードディスク（ＨＤ）を駆動するモータ（例えば、スピンドルモータ）の磁気を検出し、検出結果を垂直移動距離検出回路３５に送信する。すなわち、上下方向に配設された磁気センサ３２（３２−１〜３２−ｎ）の中で、ハードディスク（ＨＤ）を検出したセンサの、例えば番号の情報を垂直移動距離検出回路３５に送信する。したがって、垂直移動距離検出回路３５では磁気センサ３２（３２−１〜３２−ｎ）から送信されたデータに従ってハードディスク（ＨＤ）の垂直方向の位置を検出することができ、この情報を制御回路３６に送信する。
【００５７】
一方、水平移動距離検出回路３４には、上記のようにエンコーダ３３からパーソナルコンピュータ（ＰＣ）の水平方向の移動距離のデータが送信されており、更にセンサ３２（３２−１〜３２−ｎ）からハードディスク（ＨＤ）の検知信号が入力することによって、ハードディスク（ＨＤ）の水平方向の位置を検出することができ、この情報を制御回路３６に送信する。
【００５８】
制御回路３６では水平移動距離検出回路３４及び垂直移動距離検出回路３５から送信された情報に基づいて、パーソナルコンピュータ（ＰＣ）に取り付けられたハードディスク（ＨＤ）の位置を判断し、駆動回路３７に制御信号を送り、不図示の駆動装置を駆動して前述のデータ消去装置２９を対応する位置に移動する。その後、前述のデータ消去装置２９によってハードディスク（ＨＤ）に記録されたデータの消去を行う。
【００５９】
以上のように、本例によればパーソナルコンピュータ（ＰＣ）をデータ消去ボックス３０に挿入し、セットする際、パーソナルコンピュータ（ＰＣ）に取り付けたハードディスク（ＨＤ）の位置を知ることができ、更に簡単にハードディスク（ＨＤ）のデータ消去を行うことができる。
【００６０】
尚、データ消去装置２９によるハードディスク（ＨＤ）のデータ消去には４００ＫＡ／ｍ〜１３００ＫＡ／ｍの強い磁界を使用する。このため、本例のようにハードディスク（ＨＤ）の位置を特定し、ピンポイントでデータ消去処理を行わない場合には、パーソナルコンピュータ（ＰＣ）の他の部品を破損し、以後再利用することが不可能になる。したがって、この点からも本例の装置は有利である。
【図面の簡単な説明】
【００６１】
【図１】実施形態１の磁気記録媒体の位置検出装置によるハードディスクの位置を検出する処理を説明する図である。
【図２】Ｙ軸方向移動機構に取り付けられた媒体位置検出装置の状態を示す図である。
【図３】媒体位置検出装置の内部回路を説明する回路図である。
【図４】本実施形態の処理を説明するフローチャートである。
【図５】媒体位置検出装置の移動経路の例を説明する図である。
【図６】媒体位置検出装置の移動経路の例を説明する図である。
【図７】実施形態２の磁気記録媒体の位置検出装置によるハードディスクの位置を検出する処理を説明する図である。
【図８】実施形態２の磁気記録媒体の構成を示す斜視図である。
【図９】実施形態３を説明するデータ消去ボックスの全体構成を示す図である。
【図１０】実施形態３の処理を説明するフローチャートである。
【符号の説明】
【００６２】
１・・・媒体位置検出装置
２・・・コンピュータ保持具
３・・・溝
５・・・移動機構
５ａ・・Ｘ軸方向移動機構
５ｂ・・Ｙ軸方向移動機構
６・・・Ｙ軸部材
７・・・ラチェットカム
８・・・モータ
９・・・Ｘ軸部材
１０・・制御装置
１１・・電源ランプ
１２・・発光部
１３・・磁気センサ
１４・・比較器
１５・・基準電圧入力部
１６・・基準電圧調整抵抗
１６・・基準電圧調整抵抗
２１・・媒体位置検出装置
２２−１〜２２−ｎ・・磁気センサ
２３・・制御装置  
２４・・基台
２９・・データ消去装置
３０・・データ消去ボックス
３１・・開口部
３２、３２−１〜３２−ｎ・・磁気センサ
３３・・エンコーダ
３４・・水平移動距離検出回路
３５・・垂直移動距離検出回路
３６・・制御回路
３７・・駆動回路
ＰＣ・・パーソナルコンピュータ
【図１】
2010123150.tif 000003
【図２】
2010123150.tif 000004
【図３】
2010123150.tif 000005
【図４】
2010123150.tif 000006
【図５】
2010123150.tif 000007
【図６】
2010123150.tif 000008
【図７】
2010123150.tif 000009
【図８】
2010123150.tif 000010
【図９】
2010123150.tif 000011
【図１０】
2010123150.tif 000012